【手続補正書】
【提出日】平成17年7月29日(2005.7.29)
【手続補正１】
【補正対象書類名】明細書
【補正対象項目名】全文
【補正方法】変更
【補正の内容】
【書類名】      明細書
【発明の名称】  空気調和機の室内ユニット
【特許請求の範囲】
【請求項１】  横桟と縦桟からなる空気取入口又は及び空気吹出口を具備する空気調和機の室内ユニットにおいて、上記縦桟の前部を上記横桟の後部より後方に位置させたことを特徴とする空気調和機の室内ユニット。
【請求項２】  上記横桟と縦桟をリブを介して互いに連結したことを特徴とする請求項１記載の空気調和機の室内ユニット。
【発明の詳細な説明】
【０００１】
【発明の属する技術分野】  
本発明は空気調和機の室内ユニットに関する。
【０００２】
【従来の技術】  
従来の空気調和機の室内ユニットの１例が図２ないし図４に示されている。図２は室内ユニットの正面図で、室内ユニット１０の正面は主としてフロントパネル１と吸込グリル２から構成される。
【０００３】  
図３には図２のＡ−Ａ線に沿う断面図が示されている。フロントパネル１、吸込グリル２及び本体３からなる器筐の内部にはエアフィルタ４、熱交換器５ａ、５ｂ、５ｃ、ドレンパン６ａ、６ｂ、フアン７等が配設されている。
【０００４】  
空気調和機の運転時、フアン７が回転し、熱交換器５ａ、５ｂ、５ｃには図示しない室外ユニットからの冷媒が循環する。かくして、室内空気はフロントパネル１及び吸込グリル２に形成された空気取入口から器筐の内部に吸い込まれ、エアフィルタ４を流過する過程で室内空気中の塵埃が捕捉される。
【０００５】  
次いで、この室内空気は熱交換器５ａ、５ｂ、５ｃを流過する過程で冷媒と熱交換することによって冷却又は加熱された後、フアン７によって付勢され、吹出口１１からルーバ８及びフラップ９ａ、９ｂにより案内されて室内に吹き出される。
【０００６】  
吸込グリル２の詳細が図４に示され、（イ）は縦断面図、（ロ）は（イ）のロ部の部分的拡大図、（ハ）は（ロ）のハ矢に沿う矢視図、（ニ）は（ハ）のニ矢に沿う矢視図である。
【０００７】  
吸込グリル２は上下に所定の間隔を隔てて互いに平行するように水平に伸びる多数の横桟１３と、これら横桟１３に対して直交し、水平方向に所定の間隔を隔てて上下に伸びる複数の縦桟１４を具えている。
【０００８】  
横桟１３と縦桟１４とはその交差部において互いに接合され、かつ、この接合部はリブ１６によって補強されている。
【０００９】
【発明が解決しようとする課題】  
上記従来の室内ユニットにおいては、図４（ロ）に明示するように、縦桟１４の前部１４Ａが横桟１３の後部１３Ａより前方、即ち、外側に位置しているため、室内ユニット１０を前方から見たとき、縦桟１４がはっきり見えるので、室内ユニット１０の見映えが損なわれるという問題があった。
【００１０】
【課題を解決するための手段】  
本発明は上記課題を解決するために発明されたものであって、その要旨とするところは、横桟と縦桟からなる空気取入口又は及び空気吹出口を具備する空気調和機の室内ユニットにおいて、上記縦桟の前部を上記横桟の後部より後方に位置させたことを特徴とする空気調和機の室内ユニットにある。
【００１１】  
他の特徴とするところは、上記横桟と縦桟をリブを介して互いに連結したことにある。
【００１２】
【発明の実施の形態】  
本発明の第１実施例が図１に示され、（イ）は吸込グリルの縦断面図、（ロ）は（イ）のロ部の部分的拡大図、（ハ）は（ロ）のハ矢に沿う矢視図、（ニ）は（ハ）のニ矢に沿う矢視図である。
【００１３】  
図１（ロ）に明示するように、縦桟１４の前部１４Ａは横桟１３の後部１３Ａより後方、即ち、内側に位置している。
【００１４】  
なお、縦桟１４と横桟１３とが離れている場合には、これらをリブ１６を介して互いに連結すれば良い。他の構成は図２ないし図４に示す従来のものと同様であり、対応する部材には同じ符号を付してその説明を省略する。
【００１５】  
しかして、室内ユニット１０を室内壁面の高所に据え付けた場合、縦桟１４がはっきり見えなくなり、吸込グリル２は恰も横桟１３のみからなるように見えるので、室内ユニット１０の見映えが向上する。
【００１６】  
以上、本発明を空気取入口に適用した実施形態について具体的に説明したが、本発明は空気吹出口にも適用しうることは勿論である。
【００１７】
本実施例においては、縦桟の前部を横桟の後部より後方に位置させたため、室内ユニットを見たとき縦桟がはっきり見えなくなるので、室内ユニットの見映えが向上する。
【００１８】  
次に、本発明に関連して検討した検討例を、以下第２実施例〜第６実施例として説明する。
第２実施例が図５ないし図７に示され、図５はフアンとモータの取付部を示す正面図、図６は図５のＢ−Ｂ線に沿う矢視図、図７は図５のＡ−Ａ線に沿う断面図である。
【００１９】  
図７に示すように、フアン７とこれを駆動するモータ１７はネジ１８によって一体化されている。モータ１７を被覆するモータブラケット１９はケース２０に固定されている。このモータブラケット１９にはフアン７の右端から洩れる風を遮断するための隔壁２１が一体に形成されている。
【００２０】  
従来は図８に示すように、モータ１７の軸受部１７ａをモータブラケット２２とケース２０とで挟持し、フアン７の風路２３からフアン７の右端開口を通って制御装置部２４に漏れる風をブラケット２５により遮ぎっていたため、モータブラケット２２とブラケット２５との隙間２６を通って冷房運転時熱交換器５ｂ、５ｃに結露した結露水が制御装置部２４に侵入したり、室内ユニットの外部に滴下するおそれがあった。
【００２１】  
しかるに、第２実施例においては、モータブラケット１９に隔壁２１が一体に形成されているため、従来のブラケット２５を省略できるのでコストを低減できるのみならず結露水が制御装置部２４に侵入したり、室内ユニットの外部に滴下するのを防止できる。
【００２２】  
第３実施例が図９に示されている。吹出口１１を限界する右側壁２８とドレンパン６ａの後壁２９との間に逆流防止板３０が設けられている。なお、図示していないが、左側壁と後壁２９との間にも同様の逆流防止板３０が設けられている。
【００２３】  
従来は、図１０に示すように、逆流防止板３０が設けられていなかったため、室内空気の逆流ｂが発生し、この逆流ｂが吹出口１１から吹き出される冷風ａにより冷却されている左右の側壁２８に触れることによって発生した結露水が滴下して室内を汚すおそれがあった。
【００２４】  
しかるに、第３実施例においては、湿気を含んだ暖かい室内空気の逆流ｂは逆流防止板３０によって阻止されるので、左右の両側壁２８の近辺に結露水が発生することはなく、従って、結露水が滴下して室内を汚すのを防止できる。
【００２５】  
第４実施例が図１１及び図１２に示され、図１１はドレンの排水系路を示す側面図、図１２は図１１のＡ矢に沿う矢視図である。図１１に示すように、空気調和機の冷房運転時、熱交換器５ａ及び５ｂからドレンパン６ａに滴下したドレンはドレン通路３１、ドレンホース３２を経て外部に排出される。
【００２６】  
熱交換器５ｃからドレンパン６ｃに滴下したドレンはフアン７の駆動用モータ１７のケース３４に形成された通路を通ってドレンパン６ｄに入る。また、器筐の背板３３が冷風により冷却されることによってその背面に結露したドレンもドレンパン６ｄに入る。
【００２７】  
ドレンパン６ｄに入ったドレンはドレン排出通路３５を通ってドレン通路３１に入り、ドレンホース３２を通って排出される。
【００２８】  
ドレン排出通路３５の出口が図１２に示されている。ドレン排出通路３５の出口は前方に向かって次第に降下するように傾斜する樋３６とその両側に配設された２つの隔壁３７によって構成され、これら２つの隔壁３７は樋３６の前端から更に前方に向かって若干延長されている。
【００２９】  
樋３６の内面は排出通路３５の中心に向かって傾斜する４つの壁面３６ａ、３６ｂ、３６ｃ、３６ｄからなり、壁面３６ｃ及び３６ｄは壁面３６ａ、３６ｂの上端に接続され、壁面３６ｃ及び３６ｄの傾斜角は壁面３６ａ、３６ｂのそれより大きくされている。
【００３０】  
また、隔壁３７の内面は３つの壁面３７ａ、３７ｂ、３７ｃからなり、壁面３７ａの上端に壁面３７ｂの下端が接続され、この壁面３７ｂの上端に壁面３７ｃが接続されている。
【００３１】  
壁面３７ｃは垂直とされているが、壁面３７ａ及び３７ｂは排出通路３５の中心に向かって傾斜している。そして、壁面３７ｂは樋３６の壁面３６ｃの前下方にこれと所定の段差を隔てて位置している。なお、図示していないが、他方の隔壁３７も同様に構成されている。
【００３２】  
しかして、ドレン排出通路３５を流れてきたドレンの主流Ｈは樋３６の壁面３６ａ、３６ｂの先端から落下し、隔壁３７の壁面３７ａに案内されて中央部３８に集まる。また、ドレンの表面張力により発生した分流Ｌは樋３６の壁面３６ｃから隔壁３７の壁面３７ｂに落下し、この壁面３７ｂ及びこれに連続する壁面３７ａに案内されて中央部３８に集まる。
【００３３】  
従来のドレン排出通路３５の出口は、図１３に示されるように、隔壁３９は垂面な壁面３９ａ、３９ｃとこれらに直角な壁面３９ｂからなり、壁面３９ｂの内縁は樋４０の壁面４０ａ、４０ｂの上端に接していたため、壁面３９ｂ上を流下して来たドレンＫが隙間ｙを通って後部に漏洩するおそれがあった。
【００３４】  
しかるに、第４実施例においては、ドレン排出通路３５の出口部の壁面、即ち、樋３６の壁面３６ｃ、３６ｄ及び隔壁３７の壁面３７ａ、３７ｂを排出通路３５の中心に向かって傾斜する斜面とするとともに壁面３６ｃと壁面３７ｂとの間に段差を設けたため、ドレンが隙間を通って後部に漏洩するのを防止することができ、従って、この漏洩を防止するために用いられていた詰物を省略できる。
【００３５】  
第５実施例が図１４ないし図１６に示され、図１４は冷媒配管の敷設系路を示す側面図、図１５はモータブラケットの近傍を破断して示す斜視図、図１６は図１５のＡ矢に沿う矢視図である。
【００３６】  
図１４に示すように、熱交換器５ａ、５ｂ、５ｃに液冷媒を分配するための液管４２ａとこれら熱交換器５ａ、５ｂ、５ｃで蒸発したガス冷媒を室外ユニットに戻すためのガス管４２ｂを断熱材４２ｃで被覆することによって冷媒配管４２が構成されている。
【００３７】  
フアン７を駆動するためのモータ１７はモータブラケット４１に保持され、このモータブラケット４１は支基４４を介して片持支持され、この支基４４の外端はケース本体３の背板３ａの内面に取り付けられている。なお、モータブラケット４１、支基４４はケース本体３と一体成形されている。
【００３８】  
冷媒配管４２はその組立時、図１６に示すように、モータブラケット４１とケース本体３の側板３ｂとの隙間４５に引き廻され、次いで、モータブラケット４１と背板３ａとの間に形成された空間４３にその入口４６から引き込まれる。
【００３９】  
ここで、冷媒配管４２はその弾性及び剛性により何らの押さえ部品を要することなくこの空間４３内に保持される。次いで、この冷媒配管４２は器筐内下部後方のスペースを通して背板３ａに形成された穴から外部へ引き出されて室外ユニットに連結される。
【００４０】  
従来は図１７及び図１８に示すように、モータブラケット４１は一対の支基４４ａ、４４ｂによって両持支持され、これら一対の支基４４ａ、４４ｂと、ケース本体３の背板３ａの内面と、モータブラケット４１の背面とによって囲まれるスペース４８内に冷媒配管４２を敷設していたため、敷設作業の作業性が悪かった。
【００４１】  
そこで、作業性を改善するため、本体ケース３の天板３ｃに切り欠きを設け、冷媒配管４２の敷設後、この切り欠きを蓋４９により閉塞していたので、蓋４９の部品費用及び組立費用が付加されるという問題点があった。
【００４２】  
しかるに、第５実施例においては、モータブラケット４１を片持式としてケース本体３に支持することによってモータブラケット４１とケース本体３との間に冷媒配管４２を装着するための空間４３を形成したため、冷媒配管４２をケース本体３の内面に沿って滑らせることによってこれを空間４３内に容易に収容することができる。
【００４３】  
また、モータブラケット４１とケース本体３との間隔を適切な寸法とすることにより冷媒配管４２をその弾性及び剛性を利用して他の押さえ部品を要せず空間４３内に保持することができる。
【００４４】  
空気調和機の冷媒系統が図１９に示されている。冷房運転時、圧縮機５１から吐出されたガス冷媒は破線矢印で示すように四方切換弁５２を経て熱源側熱交換器５３に入り、ここで室外送風機５９により送られる外気に放熱することによって凝縮液化する。
【００４５】  
次いで、この液冷媒は毛細管５４により絞られることによって断熱膨張した後、利用側熱交換器５５に入り、ここでフアン５７により送られる室内空気から吸熱することによって蒸発気化する。次いで、このガス冷媒は四方切換弁５２を経て圧縮機５１に戻り、上記を繰り返す。
【００４６】  
暖房運転時には四方切換弁５２を上記と逆に切り換えることによって冷媒は実線矢印で示すように冷房運転時と逆方向に循環する。除霜運転時には、四方切換弁５２を冷房運転時と同様に切り換えることによって冷媒は破線矢印で示すように冷房運転時と同じ方向に循環する。
【００４７】  
熱源側熱交換器５３の温度Ｔｏｐｌを検出するセンサ６０、熱源側熱交換器５３に吸込まれる空気の温度Ｔｏを検出するセンサ６１及びこの空気の湿度Ｈｏを検知するセンサ６２の検出値はコントローラ６３に入力され、このコントローラ６３は圧縮機５１に出力してこれをＮＯ・ＯＦＦするとともに四方切換弁５２に出力してこれを切り換える。
【００４８】  
従来のコントローラ６３は、図２０に示すように、暖房又は冷房等の運転モードの指示回路６５、暖房運転開始後の暖房運転時間の積算結果判定回路６６、除霜運転終了後の時間の積算結果判定回路６７、センサ６０により検知された熱源側熱交換器５３の温度（ＴｏｐＬ）による判定回路６８、センサ６１により検知された熱源側熱交換器５３に吸込まれる空気の温度（Ｔｏ）とセンサ６０により検知された熱源側熱交換器５３の温度（ＴｏｐＬ）との差を判定する回路６９、圧縮機５１の運転指示回路７０、センサ６０により感知された熱源側熱交換器５３の温度（ＴｏｐＬ）が予め設定された温度（Ｇ℃）以上になったことを判定する回路７１及び除霜運転時間が予め設定された時間（Ｊ時間）なったことを判定する回路７２、上記各回路６５、６６、６７、６８、６９、７０、７１、７２からの判定結果を受けて除霜運転の開始又は停止を指令する除霜制御回路７３を具備している。
【００４９】  
回路６５では暖房指定の時ＯＮとなる。回路６６では暖房運転開始後の暖房運転時間の積算値が予め設定された設定時間（Ａ時間）に到達した時ＯＮとなる。回路６７では除霜運転終了後の経過時間が予め設定された設定時間（Ｂ時間）に到達した時ＯＮとなる。回路６８では熱源側熱交換器５３の温度（ＴｏｐＬ）が予め設定された設定時間（Ｃ時間）の間、継続して予め設定された設定温度（Ｄ℃）以下になった時ＯＮとなる。
【００５０】  
回路６９では熱源側熱交換器５３に吸込まれる空気温度（Ｔｏ）と熱源側熱交換器５３の温度（ＴｏｐＬ）の差がＴｏ−ＴｏｐＬ≧Ｅ×Ｔｏ＋Ｆとなった時ＯＮとなる。（但し、Ｅは予め設定された定数、Ｆは予め設定された設定温度である。回路７０では圧縮機５１が運転指示となった時ＯＮとなる。上記全ての回路６５、６６、６７、６８、６９、７０がＯＮとなった時、除霜制御回路７３は除霜運転の開始を指令する。
【００５１】  
回路７１では熱源側熱交換器５３の温度が予め設定された温度（Ｇ℃）以上になった時ＯＮとなる。回路７２では除霜運転時間が予め設定された時間（Ｊ時間）になったときにＯＮとなる。そして、回路７１あるいは７２がＯＮとなったとき、除霜制御回路７３は除霜運転の停止を指令する。
【００５２】  
しかして、暖房運転中ある一定の外気温以下では回路６５、６８、６９、７０がＯＮとなる条件を常に満たすことになるので、回路６６及び６７がＯＮとなる条件である時間が経過したか、否かのみで除霜運転開始を判定している。
【００５３】  
図２３には、室温が２０℃で一定のとき、熱源側熱交換器５３の着霜の有無と、外気温度と、暖房能力との関係が示され、公知の着霜条件、即ち、外気温度が５．５℃以上及び−８．５℃以下では着霜し難い。なお、降雪時等湿度が高い場合においては、外気温度が−８．５℃以下であっても湿度に応じて着霜量が増減することがある。
【００５４】  
このため、従来のコントローラ６３では、−８．５℃以下の低外気温条件以下でも暖房運転時、回路６６及び６７の時間経過条件が該当すれば除霜運転が行われ、暖房運転がその間停止されるので、室温が低下し、暖房フィーリングが悪くなる欠点があった。
【００５５】
第６実施例の第１の実施形態が図２２に示されている。第１の実施形態は図２０に示す従来の回路６６、６７、６９に代えて第１ないし第３の回路７５、７６、７８が設けられている。
【００５６】
第１の回路７５は暖房運転開始後の暖房運転時間が予め設定された第１の設定時間（Ａ１又はＡ２又はＡ３）に到達したときにＯＮとなる。この時間Ａ１、Ａ２、Ａ３は熱源側熱交換器５３に吸込まれる空気温度Ｔｏの温度域により予め設定される。
【００５７】  
Ａ１＜Ａ２＜Ａ３でＴｏが低い範囲では経過時間Ａ１に到達したときにＯＮとなり、Ｔｏが中位の範囲では経過時間がＡ２に到達したときＯＮとなり、Ｔｏが高い範囲では経過時間がＡ３に到達したときにＯＮとなる。
【００５８】  
第２の回路７６は除霜運転終了後の経過時間が予め設定された第２の設定時間（Ｂ１又はＢ２又はＢ３）に到達したときにＯＮとなる。上記時間Ｂ１、Ｂ２、Ｂ３はＢ１＜Ｂ２＜Ｂ３の関係を有し、熱源側熱交換器５３に吸込まれる空気温度Ｔｏの温度域の低、中、高に対応して予め設定される。
【００５９】  
第３の回路７８はセンサ６１により検知された熱源側熱交換器５３に吸込まれる空気温度Ｔｏとセンサ６０により検知された熱源側熱交換器５３の温度（ＴｏｐＬ）との差を判定する回路である。この温度差Ｔｏ−ＴｏｐＬがＴｏ−ＴｏｐＬ≧（Ｅ１×Ｔｏ＋Ｆ１）又は（Ｅ２×Ｔｏ＋Ｆ２）又は（Ｅ３×Ｔｏ＋Ｆ３）の時、回路７８はＯＮとなる。
【００６０】  
上記判定式におけるＥ１、Ｅ２、Ｅ３及びＦ１、Ｆ２、Ｆ３は定数で、Ｅ１＞Ｅ２＞Ｅ３、Ｆ１＞Ｆ２＞Ｆ３の関係を有し、予め設定した数値であるが、熱源側熱交換器５３に吸込まれる空気温度Ｔｏの温度域の低、中、高に対応して予め設定される。他の構成は図１９及び図２０に示す従来のものと同様であり、対応する部材には同じ符号を付してその説明を省略する。
【００６１】
しかして、各回路６５、７５、７６、６８、７８、７０が全てＯＮとなったとき、除霜制御回路７３は除霜運転の開始を指令する。第１の回路７５及び第２の回路７６では、熱源側熱交換器５３に吸込まれる空気温度Ｔｏの温度域によりＯＮ条件である設定時間を複数にしたことにより、第３の回路７８では、定数Ｅ及びＦを熱源側熱交換器５３に吸込まれる温度Ｔｏの温度域により各々複数に設定したことにより各判定回路７５、７６、７８のＯＮ開始時間が遅れ、その間暖房運転時間が継続するので、低外気温時における暖房性能が向上する。
【００６２】  
なお、第１ないし第３の判定回路７５、７６、７８の中の任意の１又は２を省略することができる。
【００６３】  
第６実施例の第２の実施形態が図２３に示されている。この第２の実施形態においては、熱源側熱交換器５３に吸込まれる空気の湿度Ｈｏを検知するセンサ６２が設けられる。そして、図２０の判定回路６９に代えて回路７９が設けられている。
【００６４】  
この回路７９はセンサ６１により検知された熱源側熱交換器５３に吸込まれる空気温度Ｔｏとセンサ６０により検知された熱源側熱交換器５３の温度（ＴｏｐＬ）との差を判定する回路である。この温度差Ｔｏ−ＴｏｐＬがＴｏ−ＴｏｐＬ≧Ｋ１×Ｔｏ＋Ｌ１×Ｈｏ＋Ｍ１の時、回路７９はＯＮとなり、他の回路６５、６６、６７、６８、７０が全てＯＮとなった時、除霜制御回路７３は除霜運転の開始を指示する。
【００６５】  
回路７９の判定式におけるＫ１、Ｋ２、Ｌ１、Ｌ２、Ｍ１及びＭ２は定数で、熱源側熱交換器５３に吸込まれる空気温度Ｔｏの温度域に対応して又はこの空気の湿度Ｈｏの湿度域に対応して予め設定された数値であり、Ｋ１＜Ｋ２、Ｌ１＜Ｌ２、Ｍ１＜Ｍ２の関係を有し、熱源側熱交換器５３に吸込まれる空気の温度Ｔｏ及び湿度Ｈｏが低い範囲内では定数Ｋ１、Ｌ２、Ｍ２が適用され、上記温度Ｔｏ及び湿度Ｈｏが高い範囲内では定数Ｋ２、Ｌ２、Ｍ２が適用される。
【００６６】  
なお、各定数は２種類だけでなく、必要に応じ温度域及び湿度域あるいは湿度域を細く分割して各温度域及び湿度域にそれぞれ定数を設定することができ、また、温度域或いは湿度域を分割するのではなく連続的な関数扱いとすることもできる。
【００６７】
しかして、熱源側熱交換器５３に吸込まれる空気の湿度Ｈｏ、即ち、外気湿度が低ければ熱源側熱交換器５３の着霜量も少なく、着霜時間も遅いので、回路７９では外気の温度だけでなく湿度条件を含めたことにより低外気温で低湿度の場合には除霜運転の開始を遅らすことができ、その間暖房運転が継続できるので、暖房低温性能が向上し、きめ細かな除霜運転指示を行うこときができる。
【００６８】
【発明の効果】
本発明においては、縦桟の前部を横桟の後部より後方に位置させたため、室内ユニットを見たとき縦桟がはっきり見えなくなるので、室内ユニットの見映えが向上する。
【図面の簡単な説明】
【図１】  
本発明の第１実施例を示し、（イ）は吸込グリルの縦断面図、（ロ）は（イ）のロ部の部分的拡大図、（ハ）は（ロ）のハ矢に沿う矢視図、（ニ）は（ハ）のニ矢に沿う矢視図である。
【図２】  
従来の室内ユニットの正面図である。
【図３】  
図２のＡ−Ａ線に沿う断面図である。
【図４】
従来の吸込グリルの詳細を示し、（イ）は吸込グリルの縦断面図、（ロ）は（イ）のロ部の部分的拡大図、（ハ）は（ロ）のハ矢に沿う矢視図、（ニ）は（ハ）のニ矢に沿う矢視図である。
【図５】  
本発明に関連して検討した検討例としての第２実施例を示す正面図である。
【図６】  
図５のＢ−Ｂ線に沿う矢視図である。
【図７】  
図５のＡ−Ａ線に沿う矢視図である。
【図８】  
従来の構成を示す図７に対応する部分的斜視図である。
【図９】  
本発明に関連して検討した検討例としての第３実施例を示す部分的斜視図である。
【図１０】  
従来の構成を示す図９に対応する部分的斜視図である。
【図１１】  
本発明に関連して検討した検討例としての第４実施例を示すドレンの排出系路の側面図である。
【図１２】  
図１１のＡ矢に沿う矢視図である。
【図１３】  
従来の構成を示す図１２に対応する矢視図である。
【図１４】  
本発明に関連して検討した検討例としての第５実施例を示す冷媒配管の敷設状況を示す側面図である。
【図１５】  
上記実施形態におけるモータブラケットの近傍を示す斜視図である。
【図１６】  
図１５のＡ矢に沿う断面図である。
【図１７】  
従来の構成を示す図１５に対応する斜視図である。
【図１８】  
図１７のＡ矢に沿う断面図である。
【図１９】  
空気調和機の系統図である。
【図２０】  
従来の空気調和機の除霜制御装置の回路図である。
【図２１】  
従来の空気調和機の外気温度と、暖房能力と、着霜との関係を示す線図である。
【図２２】
本発明に関連して検討した検討例としての第６実施例の第１の実施形態を示す除霜制御装置の回路図である。
【図２３】
本発明に関連して検討した検討例としての第６実施例の第２の実施形態を示す除霜制御装置の回路図である。
【符号の説明】
１    フロントパネル
２    吸込グリル
４    エアフィルタ
１３    横桟
１４    縦桟
１６    リブ